(57)【要約】【課題】  吸収性物品のシャーシから離間する離隔シートに形成された連通部と、排泄位置とがずれるのを抑制することができる。【解決手段】  内外面シート６，７の間に吸液構造体１５が形成され、内面シート６の身体側に離隔シート１８が形成される。離隔シート１８の両側部分２１，２２が第１接合部３０，３１を介して内面シート６に接合される。第１接合部３０，３１は、縦方向Ｙに連続して延び、厚さ方向において吸液構造体１５にほぼ重なる。離隔シート１８の身体側に形成された漏れ防止カフ３５，３６は、離隔シート１８の横方向Ｘ外側に位置する第２接合部４１，４２を介して内面シート６に接合されるとともに、前ウエスト域３において第３接合部５０を介して離隔シート１８と接合し、後ウエスト域４において第４接合域５１を介して離隔シート１８と接合される。【選択図】図２
2009291321.tif 000002
【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域から離間可能に形成された離隔シートと、少なくとも前記クロッチ域を前記縦方向に延びて伸長状態で収縮可能に取り付けられたレッグ弾性部材とを含む吸収性物品において、
前記離隔シートは、前記横方向に対向して前記縦方向に延びる一対の両側部分と、前記両側部分の間に連なる中間部分と、前記両側部分および前記中間部分によって形成され前記身体側と前記シャーシ側とを連通させる連通部と、前記両側部分を前記シャーシに接合する接合部とを含むとともに、少なくとも前記クロッチ域において前記縦方向に弾性化され、前記接合部が前記吸液構造体と重なる位置に形成され、
前記レッグ弾性部材は、前記吸液構造体の前記横方向外側に延設され、
前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成されることを特徴とする前記吸収性物品。
【請求項２】
前記接合部は、少なくとも前記クロッチ域において前記縦方向に延びて形成される請求項１記載の吸収性物品。
【請求項３】
前記離隔シートの前記両側部分は、前記縦方向に延びる折曲線を介して前記シャーシ側に折り返される領域を形成し、この領域に前記接合部が形成される請求項１または２記載の吸収性物品。
【請求項４】
前記接合部は、前記シャーシの前記縦方向の寸法を二等分する横中心線よりも前記前ウエスト域側において前記接合部の前記横方向の内側と外側とを連通する連通路を形成する請求項１〜３のいずれかに記載の吸収性物品。
【請求項５】
前記シャーシの前記身体側に、前記縦方向に延びる一対の漏れ防止カフをさらに含み、
前記漏れ防止カフは、前記シャーシに固定される基側縁と、前記シャーシから離間する自由側縁とを含み、前記基側縁に前記レッグ弾性部材が取り付けられる請求項１〜４のいずれかに記載の吸収性物品。
【請求項６】
前記レッグ弾性部材は、前記離隔シートの両側部分と略平行に延びる請求項１〜５のいずれかに記載の吸収性物品。
【請求項７】
前記レッグ弾性部材は、前記前ウエスト域と前記クロッチ域との境界から前記後ウエスト域と前記クロッチ域との境界まで延びるとともに、前記レッグ弾性部材の両端部は前記吸液構造体の前記横方向外側に位置し、前記接合部は少なくとも前記両端部に対応する位置において前記吸液構造体に重なる請求項１〜６のいずれかに記載の吸液性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、便および尿を通過させる開口部が形成されたシートを有するものとして、例えば特開平９−５１０３８５号公報（特許文献１）が公知である。この特許文献１によれば、おむつは内方シートと、外方シートと、内方シートのさらに身体側内面に配置されるフローティングシートとを有している。フローティングシートには便および尿を通過させる前後開口部が形成されている。この前後開口部に沿って縦方向にフローティングシート用の弾性部材が伸長状態で取り付けられ、この弾性部材の収縮によってフローティングシートがシャーシから離間して着用者の肌に接触する。離間したフローティングシートの前後開口部を介して便および尿が排泄され、便等が着用者の肌に直接付着するのを防止している。
【０００３】
フローティングシートの横方向外側であって、内方シートと外方シートとの間には、内外方シートの両側縁に沿って縦方向に延びるレッグ弾性部材が伸長状態で取り付けられている。レッグ弾性部材の収縮によって両側縁がそれぞれ着用者の脚周りに密着し、尿等の漏れを防止する。
【特許文献１】特開平９−５１０３８５号公報
【発明の開示】
【発明が解決しようとする課題】
【０００４】
上記のようなおむつを着用した状態で着用者の脚が動くと、この動きに追従して内外方シートの両側縁とレッグ弾性部材とが動く。レッグ弾性部材の横方向内側にはフローティングシートが形成されているので、レッグ弾性部材が動くとフローティングシートも動いてしまい、フローティングシートが着用者から離間して接触しなくなったり、フローティングシートの開口形状が変形してしまったりする。フローティングシートが着用者から離間したり、開口が変形したりすると、排泄位置と開口の位置とがずれて、フローティングシート上に排泄物が排泄される可能性がある。フローティングシート上に排泄された便等が着用者に接触することによって、肌トラブルを引き起こしかねない。
【０００５】
この発明では、吸収性物品のシャーシから離間する離隔シートに形成された連通部と、排泄位置とがずれることがない吸収性物品を提供することを課題とする。
【課題を解決するための手段】
【０００６】
この発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域から離間可能に形成された離隔シートと、少なくとも前記クロッチ域を前記縦方向に延びて伸長状態で収縮可能に取り付けられたレッグ弾性部材とを含む吸収性物品の改良に関わる。
【０００７】
この発明は前記吸収性物品において、前記離隔シートは、前記横方向に対向して前記縦方向に延びる一対の両側部分と、前記両側部分の間に連なる中間部分と、前記両側部分および前記中間部分によって形成され前記身体側と前記シャーシ側とを連通させる連通部と、前記両側部分を前記シャーシに接合する接合部とを含むとともに、少なくとも前記クロッチ域において前記縦方向に弾性化され、前記接合部が前記吸液構造体と重なる位置に形成される。前記レッグ弾性部材は、前記吸液構造体の前記横方向外側に延設される。前記吸液構造体は、前記縦方向に対向して前記横方向に延びる前後端縁を対向させるように湾曲することによって、前記離隔シートと前記吸液構造体との間に空隙を形成し、少なくとも前記中間部分が着用者の肌に接触可能に形成されることを特徴とする。
【０００８】
好ましい実施態様のひとつとして、前記接合部は、少なくとも前記クロッチ域において前記縦方向に延びて形成される。
【０００９】
好ましい他の実施態様のひとつとして、前記離隔シートの前記両側部分は、前記縦方向に延びる折曲線を介して前記シャーシ側に折り返される領域を形成し、この領域に前記接合部が形成される。
【００１０】
好ましい他の実施態様のひとつとして、前記接合部は、前記シャーシの前記縦方向の寸法を二等分する横中心線よりも前記前ウエスト域側において前記接合部の前記横方向の内側と外側とを連通する連通路を形成する。
【００１１】
好ましい他の実施態様のひとつとして、前記シャーシの前記身体側に、前記縦方向に延びる一対の漏れ防止カフをさらに含み、前記漏れ防止カフは、前記シャーシに固定される基側縁と、前記シャーシから離間する自由側縁とを含み、前記基側縁に前記レッグ弾性部材が取り付けられる。
【００１２】
好ましい他の実施態様のひとつとして、前記レッグ弾性部材は、前記離隔シートの両側部分と略平行に延びる。
【００１３】
好ましい他の実施態様のひとつとして、前記レッグ弾性部材は、前記前ウエスト域と前記クロッチ域との境界から前記後ウエスト域と前記クロッチ域との境界まで延びるとともに、前記レッグ弾性部材の両端部は前記吸液構造体の前記横方向外側に位置し、前記接合部は少なくとも前記両端部に対応する位置において前記吸液構造体に重なる。
【発明の効果】
【００１４】
離隔シートは、横方向に対向して縦方向に延びる一対の両側部分が接合部を介してシャーシに接合される。接合部は、吸液構造体と重なる位置に形成されることとしたので、離隔シートは剛性の高い吸液構造体に接合されることとなる。レッグ弾性部材は、吸液構造体の横方向外側に位置する。したがって、着用者の脚の動きに追従してレッグ弾性部材が動いたとしても、このレッグ弾性部材の動きが吸液構造体で規制されて、離隔シートに伝わるのを抑制することができる。離隔シートの動きが抑制されるので、離隔シートの連通部と着用者の排泄位置とのずれが抑制され、離隔シートの着用者側に排泄物が排泄されるのを抑制することができる。
【００１５】
接合部は、少なくともクロッチ域において縦方向に延びて形成されることとしたので、脚の動きによるレッグ弾性部材の移動の影響が大きい部位において、レッグ弾性部材によって離隔シートが動いてしまうのを規制することができる。したがって、より一層離隔シートの連通部と排泄位置との位置ずれを抑制することができる。
【００１６】
離隔シートの両側部分は、縦方向に延びる折曲線を介してシャーシ側に折り返される領域を形成し、この領域に接合部が形成されることとしたので、シャーシと離隔シートとの離間距離を大きくすることができ、離隔シートに対するレッグ弾性部材の移動による影響を減少させることができる。
【００１７】
接合部は、シャーシの縦方向の寸法を二等分する横中心線よりも前ウエスト域側において接合部の横方向の内側と外側とを連通する連通路を形成することとしたので、接合部の横方向内側に排泄された尿等を外側に移行させることができ、接合部の横方向の内外側のいずれにおいても尿等を吸液構造体で吸収することができる。すなわち、広い範囲で尿等を吸収することができ、尿等の漏れを予防することができる。
【００１８】
シャーシの身体側に、縦方向に延びる一対の漏れ防止カフをさらに含むこととし、漏れ防止カフの基側縁にレッグ弾性部材が取り付けられることとしたので、吸液構造体を形成するシートとは別のシートにレッグ弾性部材を取り付けることができ、吸液構造体を介したレッグ弾性部材の移動による離隔シートへの影響をより一層減少させることができる。
【００１９】
レッグ弾性部材が、離隔シートの両側部分と略平行に延びるようにしたので、両側部分に形成された接合部とレッグ弾性部材との離間距離をほぼ一定にすることができ、レッグ弾性部材の離隔シートに対する影響も一定にすることができる。したがって、局部的にレッグ弾性部材の影響が大きくなることを抑制することができる。
【００２０】
レッグ弾性部材はテープ状のゴムによって形成され、このレッグ弾性部材が、前ウエスト域とクロッチ域との境界から後ウエスト域とクロッチ域との境界まで延びることとしている。すなわち、レッグ弾性部材はクロッチ域の縦方向全域に亘って形成されることとなる。このようなレッグ弾性部材の両端部は吸液構造体の横方向外側に位置させ、接合部は吸液構造体に重なることとしているので、レッグ弾性部材の移動量が大きいクロッチ域において、接合部に対するレッグ弾性部材の影響を抑制することができる。
【発明を実施するための最良の形態】
【００２１】
吸収性物品として使い捨ておむつを用い、この発明の一例を説明する。
【００２２】
＜第１の実施形態＞
図１〜８は第１の実施形態を示したものである。図１はおむつ１の着用状態を示した図である。図示したように、この実施形態のおむつはいわゆるプルオン・パンツ型のものである。おむつ１はシャーシ２によってパンツ型に形成され、シャーシ２は前ウエスト域３、後ウエスト域４および前記前後ウエスト域３，４間に位置するクロッチ域５を含んでいる。前ウエスト域３からクロッチ域５を通って後ウエスト域４へと向かう方向を縦方向Ｙとし、これに直交する方向を横方向Ｘとしている。
【００２３】
シャーシ２は、身体側内面を形成する内面シート６と、着衣側外面を形成する外面シート７と、内外面シート６，７の前後ウエスト域３，４に取り付けられた前後フラップ８，９とを含む。前後フラップ８，９は、少なくとも横方向Ｘに伸縮可能な弾性シートによって形成されている。後フラップ９の着衣側外面に、前フラップ８の身体側内面が重なって間欠的に接合されて接合部１０を形成することにより、パンツ形状を形成する。このようにパンツ形状が形成されることによって、前後ウエスト域３，４で囲まれた領域にウエスト開口１１と一対のレッグ開口１２が形成されている。
【００２４】
図２はおむつ１の前後フラップ８，９の接合部１０の接合を解き、おむつ１を縦方向Ｙと横方向Ｘとに展開し、前後ウエスト域３，４とクロッチ域５とが同一平面上に位置するようにしたおむつ１の平面図であり、説明のため一部を破断させている。図３は図２の分解組立図であり、説明のため一部を破断させている。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。図４，図５，図６は、それぞれ図２のＩＶ−ＩＶ線端面図、Ｖ−Ｖ線端面図、ＶＩ−ＶＩ線端面図である。
【００２５】
図示したように、内外面シート６，７はほぼ同形同大の繊維不織布であり、縦方向Ｙに延びて略矩形を形成している。外面シート７の身体側には、不透液性の漏れバリアシート１４が形成され、漏れバリアシート１４のさらに身体側には吸液構造体１５が形成されている。内外面シー６，７は通気性かつ疎水性の不織布等で形成され、漏れバリアシート１４および吸液構造体１５を介して互いに接合されている。
【００２６】
吸液構造体１５は、縦方向Ｙに対向して、横方向Ｘに延びる前後端縁１５ａ，１５ｂを含む。吸液構造体１５は、吸液性芯材１６と、吸液性芯材１６を包む吸液拡散シート１７とを含み、少なくともクロッチ域５に形成され、クロッチ域５から前後ウエスト域３，４に向かって延びている。
【００２７】
内外面シート６，７の前後ウエスト域３，４には、前後フラップ８，９の内側縁８ａ，９ａが取り付けられ、横方向Ｘの外側に向かって外側縁８ｂ，９ｂが延出している。内面シート６の身体側には離隔シート１８が形成される。離隔シート１８は、内面シート６側に位置する第１シート１９と、第１シート１９の身体側に積層された第２シート２０とを含む。これら第１シート１９と第２シート２０とから形成される離隔シート１８は、横方向Ｘに対向する両側部分２１，２２と両側部分２１，２２の間に連なる中間部分２３とを有し、中間部分２３はクロッチ域５に位置している。両側部分２１，２２および中間部分２３によって前後方連通部２４，２５を形成している。前方連通部２４は、中間部分２３から前ウエスト域３に向かって開口してほぼＵ字形を形成し、後方連通部２５は、中間部分２３から後ウエスト域４に向かって開口しほぼＵ字形を形成している。
【００２８】
第１シート１９は、両側部分２１，２２に縦方向Ｙに延びる折曲線２６，２７を形成し、この折曲線２６，２７に沿って両側部分２１，２２が内面シート６側に折り返され、折返し領域２８，２９を形成する。折返し領域２８，２９を内面シート６に接合し、第１接合部３０，３１を形成している。図７は第１接合部３０，３１の位置関係が分かりやすいように、図２のおむつ１から漏れ防止カフ３５，３６を省略したものである。図示したように、第１接合部３０，３１は、離隔シート１８の前端縁から後端縁まで縦方向Ｙに連続して延びるとともに、厚さ方向において吸液構造体１５にほぼ重なるようにしている。
【００２９】
第１シート１９と第２シート２０との間には、一対の離隔シート弾性部材３３，３４を伸長状態で取り付けている。離隔シート弾性部材３３，３４は、前後方連通部２４，２５に沿って取り付けられ、中間部分３２において縦中心線Ｐ−Ｐに向かって湾曲している。離隔シート弾性部材３３，３４は離隔シート１８に対して縦方向Ｙの収縮力を付与するものであるので、例えば離隔シートが伸縮性シートで形成されている場合など縦方向Ｙに弾性化可能であれば、必ずしも用いる必要はない。
【００３０】
離隔シート１８の第２シート２０のさらに身体側には、一対の漏れ防止カフ３５，３６を形成している。漏れ防止カフ３５，３６は、横方向Ｘに離間して縦方向Ｙに延びる一対のシートによって形成され、それぞれ二枚重ねになっている。漏れ防止カフ３５，３６は、横方向Ｘにおいて離隔シート１８の外側に位置して内面シート６に接合される基側縁３７，３８と、離隔シート１８の身体側に位置し、離隔シート１８から離間する自由側縁３９，４０とを含む。基側縁３７，３８は、漏れ防止カフ３５，３６の横方向Ｘ外側に位置し、縦方向Ｙに延びる第２接合部４１，４２を介して内面シート６に接合されることによって形成される。漏れ防止カフ３５,３６は、前ウエスト域３において第３接合部５０を介して離隔シート１８と接合し、後ウエスト域４において第４接合域５１を介して離隔シート１８と接合している。
【００３１】
漏れ防止カフ３５，３６の自由側縁３９，４０は、基側縁３７，３８の横方向Ｘ内側に位置し、少なくともクロッチ域５においては内面シート６および離隔シート１８には接合されていない。基側縁３７，３８は内面シート６に接合され、自由側縁３９，４０は接合されていないので、自由側縁３９，４０が内面シート６から離間可能となる。
自由側縁３９，４０は、横方向Ｘの外側に向かって折り返され、カフ弾性部材４３，４４が縦方向Ｙに伸長状態で収縮可能に取り付けられている。カフ弾性部材４３，４４は、二枚重ねのシートの間に取り付けられ、前後ウエスト域３，４に亘って縦方向Ｙに延びている。
【００３２】
基側縁３７，３８には、縦方向Ｙに伸長状態で収縮可能に複数条のテープ状のレッグ弾性部材４５，４６が取り付けられている。レッグ弾性部材４５，４６は、前後フラップ８，９の縦方向Ｙの間であってクロッチ域５に縦方向Ｙに延びて取り付けられている。すなわち、レッグ弾性部材４５，４６は前ウエスト域３とクロッチ域５との境界から後ウエスト域４とクロッチ域５との境界にまで延びている。基側縁３７，３８は、吸液構造体１５には重ならないように、この吸液構造体１５の横方向Ｘの外側において内面シート６に接合される。したがって、レッグ弾性部材４５，４６も吸液構造体１５には重ならず、この横方向Ｘの外側に取り付けられる。レッグ弾性部材４５，４６は、少なくとも前後ウエスト域３，４とクロッチ域５との境界に位置する両端縁が吸液構造体１５に重ならないように形成されていればよく、その一部が吸液構造体１５に重なっていてもよい。また、レッグ弾性部材４５，４６としてはテープ状のゴムに限られるものではなく、糸状、ストランド状、その他一般的なゴムを用いることができる。
【００３３】
図８は図１のＶＩＩＩ−ＶＩＩＩ線断面図である。図８に示したように、このような構成のおむつ１において、図１のように前後フラップ８，９を接合させて着用したときには、吸液構造体１５の前後端縁１５ａ，１５ｂが対向するように湾曲し、カフ弾性部材４３，４４の収縮力によって漏れ防止カフ３５，３６が内面シート６から起立するように離間して、おむつ１の内側から外側に尿等が漏れるのを防止する壁を形成する。また、離隔シート弾性部材３３，３４の収縮力によって離隔シート１８が吸液構造体１５から離間して、これらの間に空隙４７を形成する。離隔シート１８のクロッチ域５には中間部分２３が形成されているので、離隔シート１８が浮き上がることによって、中間部分２３が着用者の股下部分に接触する。そして、前方連通部２４に着用者の外性器を一致させ、前方連通部２４を介して空隙４７に排尿が可能となる。後方連通部２５には肛門を一致させ、後方連通部２５を介して空隙４７に排便が可能となる。このように排泄位置と前後方連通部２４，２５とを一致させることによって排泄物を空隙４７へと誘導し、排泄物が着用者の肌に付着するのを防止して、排泄物が肌に付着することによる肌トラブルを予防することができる。
【００３４】
おむつ１の着用時においては、前後フラップ８，９の収縮力によって前後ウエスト域３，４が横方向Ｘに弾性化され、前後ウエスト域３，４が着用者の肌に密着し、尿等のウエストからの漏れを防止することができる。また、レッグ弾性部材４５，４６の収縮力によって、クロッチ域５が縦方向Ｙに弾性化されて内外面シート６，７が肌に密着し、着用者の脚周りからの尿等の漏れを防止することができる。
【００３５】
この実施形態において、離隔シート１８と内面シート６とを接合する第１接合部３０，３１を吸液構造体１５と重なるように形成し、レッグ弾性部材４５，４６を吸液構造体１５の横方向Ｘの外側に位置させて、吸液構造体１５とは重ならないように形成している。吸液構造体１５は吸液性芯材１６を含み、他のシートに比べて剛性が高くなっている。したがって、おむつ１の着用時に着用者が動いて、レッグ弾性部材４５，４６が動いたとしても、レッグ弾性部材４５，４６の動きは吸液構造体１５によって規制され、離隔シート１８には伝達されない。したがって、離隔シート１８が着用者に対して動いてしまうことがなく、前後方連通部２４，２５と排泄位置とがずれるのを抑制することができる。位置ずれすることがないので、離隔シート１８の身体側に尿便等が付着することがなく、肌トラブルを予防することができる。
【００３６】
この実施形態では、レッグ弾性部材４５，４６と第１接合部３０，３１は、少なくとも横方向Ｘにおいて約１０ｍｍ以上離間するようにしている。これら離間距離を１０ｍｍ以上とすることによって、より一層レッグ弾性部材４５，４６の動きが、離隔シート１８に伝達するのを抑制することができる。
第１接合部３０，３１は、吸液構造体１５の前端縁１５ａから後端縁１５ｂに亘って形成されることとしているが、少なくともクロッチ域５に形成されるものであればよい。前後ウエスト域３，４は、前後フラップ８，９によって着用者の胴体に密着させられるため、脚の動きに付随してシャーシ等が動くことは少ないが、クロッチ域５では脚の動きに付随して動きやすく、クロッチ域５のレッグ弾性部材４５，４６が動くことによって離隔シート１８が動いてしまう可能性が高いからである。
【００３７】
第２接合部４１，４２によって漏れ防止カフ３５，３６を内面シート６に接合することによって、基側縁３７，３８を形成し、この来側縁３７，３８から自由側縁３９，４０を起立させるようにして離間することができる。第３および第４接合部５０，５１によって漏れ防止カフ３５，３６と離隔シート１８を接合することによって、漏れ防止カフ３５，３６の離間に伴って離隔シート１８を着用者身体側に引き上げることができる。
【００３８】
この実施形態では、離隔シート１８の両側部分２１，２２に折返し領域２８，２９を形成することとしているが、折返し領域２８，２９を形成しないものであってもよい。また、折返し領域２８，２９では、両側部分２１，２２が二重になるように折り返されているが、三重、四重に折り重ねられているものでもよい。折り重ねが多くなれば、吸液構造体１５からの離間距離が大きくなり、より一層レッグ弾性部材４５，４６の動きによる影響を軽減させることができるとともに、確実に中間部分２３を着用者に接触させることができる。
レッグ弾性部材４５，４６は、クロッチ域５にのみ形成されることとしているが、前後ウエスト域３，４にまで延びるようにしてもよい。レッグ弾性部材４５，４６が長くなれば、着用者の脚に密着する部分を多くすることができ、尿漏れ防止の効果を向上させることができる。
【００３９】
レッグ弾性部材４５，４６は、漏れ防止カフ３５，３６の基側縁３７，３８に取り付けることとしているが、漏れ防止カフ３５，３６と内面シート６の間、あるいは、内外面シート６，７の間に取り付けるようにしてもよい。ただし、レッグ弾性部材４５，４６と離隔シート１８との離間距離を大きくすることによって、レッグ弾性部材４５，４６の移動による離隔シート１８への影響を減少させることができる。レッグ弾性部材４５，４６を内外面シート６，７の間に取り付ける場合には、漏れ防止カフ３５，３６は必須の構成要素とはならない。レッグ弾性部材４５，４６は、縦方向Ｙに略直線状に延びるようにしているが、例えばクロッチ域５において縦中心線Ｐ−Ｐに向かって湾曲しているようなものでもよい。ただし、レッグ弾性部材４５，４６を直線状に取り付けることによって、離隔シート１８の両側縁との距離を一定に保つことができる。レッグ弾性部材４５，４６と離隔シート１８との距離が一定に保たれるので、局部的にレッグ弾性部材４５，４６の引張力が作用することがなく、レッグ弾性部材４５，４６の引張力によって離隔シート１８が位置ずれを起こすのを防止することができる。
【００４０】
離隔シート１８には前後方連通部２４，２５を形成しているが、ひとつの連通部を形成していればよい。ただし、前後ウエスト域３，４に位置する前後方連通部２４，２５を形成することによって、尿と便とを別々に吸液構造体１５側に導くことができる。また、中間部分２３の吸液構造体１５側に空隙４７を前後に隔てるシートを取り付けても良い。このように空隙４７を隔てることによって、空隙４７に排泄された尿と便とが混ざってしまうのを抑制することができる。
【００４１】
離隔シート１８は液抵抗性かつ通気性の不織布等、内面シート６および外面シート７は通気性不織布等、漏れバリアシート１４は透湿性のプラスチックフィルム等、吸液性芯材１６はフラッフパルプと高吸収性ポリマー粒子との混合物等、それぞれ当技術分野の慣用素材を用いることができる。第１〜第４接合部は、接着剤、サーマルまたはウルトラソニックボンド等の慣用技術によって形成される。
おむつ１としてプルオン・パンツ型のものを示しているが、着用時に前後ウエスト域を連結させるオープン型のものでもよい。
【００４２】
＜第２の実施形態＞
図９は第２の実施形態について示したおむつ１の展開平面図であり、分かりやすいように漏れ防止カフ３５，３６の記載を省略したものである。この実施形態において、第１の実施形態と同様の構成要素には第１の実施形態と同じ符号を用い、その詳細な説明を省略する。この実施形態では、第１接合部３０，３１において横方向Ｘの内側と外側とを連通する連通路４８，４９を形成していることを特徴とする。連通路４８，４９は、少なくとも横中心線Ｑ−Ｑよりも前ウエスト域３側において間欠的に複数形成している。このように連通路４８，４９を形成することによって、前方連通部２４に排泄された尿が、第１接合部３０，３１の横方向Ｘ外側に流出し、この外側においても吸液構造体１５に吸収させることができる。尿が直接吸液構造体１５に接触する面積が増えるので、その分、尿が吸収される速度が速くなり、尿漏れを抑制することができる。
【００４３】
連通路４８，４９は、横中心線Ｑ−Ｑよりも前ウエスト域３側に形成されることとしているので、尿の漏れを抑制するのに効果的である。尿は横中心線Ｑ−Ｑよりも前ウエスト域３側に形成された前方連通部２４を介して吸液構造体１５に排泄されるからである。ただし、必ずしも前ウエスト域３側のみに形成されるものではなく、クロッチ域５に形成されてもよい。
形成される連通路４８，４９の数や寸法は、おむつ１の大きさによって適宜変更可能である。
【図面の簡単な説明】
【００４４】
【図１】第１の実施形態のおむつの斜視図。
【図２】図２の展開平面図。
【図３】おむつの分解組立図。
【図４】図２のＩＶ−ＩＶ線端面図。
【図５】図２のＶ−Ｖ線端面図。
【図６】図２のＶＩ−ＶＩ線端面図。
【図７】図２の説明図。
【図８】図１のＶＩＩＩ−ＶＩＩＩ線断面図。
【図９】第２の実施形態の図７と同様の図。
【符号の説明】
【００４５】
１    おむつ
２    シャーシ
３    前ウエスト域
４    後ウエスト域
５    クロッチ域
１５    吸液構造体
１５ａ  前端縁
１５ｂ  後端縁
１８    離隔シート
２１    側部分
２２    側部分
２３    中間部分
２４    前方連通部
２５    後方連通部
２６    折曲線
２７    折曲線
２８    折返し領域
２９    折返し領域
３０    第１接合部（接合部）
３１    第１接合部（接合部）
３３    離隔シート弾性部材
３４    離隔シート弾性部材
３５    漏れ防止カフ
３６    漏れ防止カフ
３７    基側縁
３８    基側縁
３９    自由側縁
４０    自由側縁
４５    レッグ弾性部材
４６    レッグ弾性部材
４８    連通路
４９    連通路
【図１】
2009291321.tif 000003
【図２】
2009291321.tif 000004
【図３】
2009291321.tif 000005
【図４】
2009291321.tif 000006
【図５】
2009291321.tif 000007
【図６】
2009291321.tif 000008
【図７】
2009291321.tif 000009
【図８】
2009291321.tif 000010
【図９】
2009291321.tif 000011